(57)【要約】【課題】回転ドラムの開口部を開閉する蓋体を閉状態にロックする蓋ロック装置を備えた洗濯機において、入力設定手段の設定によって蓋体を閉状態にロックできるようにして安全性を向上するとともに、蓋体を閉状態にロックした状態で運転できるようにし、使い勝手を向上する。【解決手段】略水平方向または略傾斜方向に回転中心軸を有する回転ドラムの開口部を蓋体により開閉し、蓋ロック装置１０により蓋体を閉状態にロックし、制御手段１７により蓋ロック装置１０等を制御するとともに一連の動作を制御する。制御手段１７は、運転コース等を入力する入力設定手段１８の設定状態に応じて、蓋ロック装置１０により蓋体を閉状態にロックし、かつ蓋体をロックした状態で運転可能とする。【選択図】図１
2005111039.tif 000002
【特許請求の範囲】
【請求項１】
略水平方向または略傾斜方向に回転中心軸を有する回転ドラムと、前記回転ドラムの開口部を開閉する蓋体と、前記蓋体を閉状態にロックする蓋ロック装置と、運転コース等を入力する入力設定手段と、前記蓋ロック装置等を制御するとともに一連の動作を制御する制御手段とを備え、前記制御手段は、前記入力設定手段の設定状態に応じて、前記蓋ロック装置により前記蓋体を閉状態にロックし、かつ蓋体をロックした状態で運転可能とした洗濯機。
【請求項２】
制御手段は、運転中に、入力設定手段の設定等により運転状態を停止した場合にも、蓋ロック装置により蓋体を閉状態にロックしつづけるようにした請求項１記載の洗濯機。
【請求項３】
制御手段は、運転終了後も、蓋ロック装置により蓋体を閉状態にロックしつづけるようにした請求項１記載の洗濯機。
【請求項４】
回転ドラムを駆動するモータと、前記回転ドラムまたは前記モータの回転状態を検知する回転検知手段とを備え、制御手段は、脱水運転中に前記回転検知手段により前記回転ドラム内の衣類が偏りアンバランス状態であると検知した場合、脱水運転を中断するとともに、蓋ロック装置による蓋体の閉状態のロックを解除するようにした請求項１記載の洗濯機。
【請求項５】
回転ドラム内の水位を検知する水位検知手段と、報知動作を行う報知手段とを備え、制御手段は、前記水位検知手段等の故障を検知した場合、運転動作を中断し前記報知手段により故障内容を報知するとともに、蓋ロック装置による蓋体の閉状態のロックを解除するようにした請求項１記載の洗濯機。
【発明の詳細な説明】
【技術分野】
【０００１】
本発明は、回転ドラムの開口部を開閉する蓋体を閉状態にロックする蓋ロック装置を備えた洗濯機に関するものである。
【背景技術】
【０００２】
従来、この種の洗濯機は、衣類の出し入れをする蓋装置を洗濯機本体の前面中央に設け、蓋ロック装置により蓋装置の開放を禁止するようにし、使用者が操作する操作スイッチを同時に２個以上操作したとき蓋ロック装置を動作させて蓋装置が開放できないように構成していた（例えば、特許文献１参照）。
【特許文献１】特開平５−１６１７７９号公報
【発明の開示】
【発明が解決しようとする課題】
【０００３】
このような従来の構成では、操作スイッチを同時に２個以上操作して蓋ロック装置を動作させ、蓋装置を開放できないようにしたとき、以降の操作スイッチの機能を受け付けできないため、再度操作スイッチを同時に２個以上操作して蓋ロック装置の動作を解除した後でなければ運転することができず、使い勝手が悪いという問題を有していた。
【０００４】
本発明は上記従来の課題を解決するもので、入力設定手段の設定によって蓋体を閉状態にロックできるようにして安全性を向上するとともに、蓋体を閉状態にロックした状態で運転できるようにし、使い勝手を向上することを目的としている。
【課題を解決するための手段】
【０００５】
本発明は上記目的を達成するために、略水平方向または略傾斜方向に回転中心軸を有する回転ドラムの開口部を蓋体により開閉し、蓋ロック装置により蓋体を閉状態にロックし、制御手段により蓋ロック装置等を制御するとともに一連の動作を制御するよう構成し、制御手段は、運転コース等を入力する入力設定手段の設定状態に応じて、蓋ロック装置により蓋体を閉状態にロックし、かつ蓋体をロックした状態で運転可能としたものである。
【０００６】
これにより、入力設定手段の設定によって蓋体を閉状態にロックできて安全性を向上することができるとともに、蓋ロック装置により蓋体を閉状態にロックした状態で運転することができ、使い勝手を向上することができる。
【発明の効果】
【０００７】
本発明の洗濯機は、入力設定手段の設定によって蓋体を閉状態にロックできて安全性を向上することができるとともに、蓋ロック装置により蓋体を閉状態にロックした状態で運転することができ、使い勝手を向上することができる。
【発明を実施するための最良の形態】
【０００８】
第１の発明は、略水平方向または略傾斜方向に回転中心軸を有する回転ドラムと、前記回転ドラムの開口部を開閉する蓋体と、前記蓋体を閉状態にロックする蓋ロック装置と、運転コース等を入力する入力設定手段と、前記蓋ロック装置等を制御するとともに一連の動作を制御する制御手段とを備え、前記制御手段は、前記入力設定手段の設定状態に応じて、前記蓋ロック装置により前記蓋体を閉状態にロックし、かつ蓋体をロックした状態で運転可能としたものであり、入力設定手段の設定状態によって蓋ロック装置により蓋体を閉状態にロックすることができるため、回転ドラム内へ幼児が入り込んで遊ぶことによる危険を防止でき、安全性を向上することができるとともに、蓋ロック装置によるロックを解除する操作をしなくても、蓋ロック装置により蓋体を閉状態にロックした状態で運転することができ、使い勝手を向上することができる。
【０００９】
第２の発明は、上記第１の発明において、制御手段は、運転中に、入力設定手段の設定等により運転状態を停止した場合にも、蓋ロック装置により蓋体を閉状態にロックしつづけるようにしたものであり、入力設定手段により一時停止した状態で蓋体を開ける場合は、蓋ロック装置による蓋体のロックを解除する必要があるため、一時停止期間が長くても、回転ドラム内へ幼児が入り込んで遊ぶことによる危険を防止でき、安全性を向上することができる。
【００１０】
第３の発明は、上記第１の発明において、制御手段は、運転終了後も、蓋ロック装置により蓋体を閉状態にロックしつづけるようにしたものであり、運転終了後に蓋体を開ける場合は、蓋ロック装置による蓋体のロックを解除する必要があるため、運転終了後に長時間放置していても、回転ドラム内へ幼児が入り込んで遊ぶことによる危険を防止でき、安全性を向上することができる。
【００１１】
第４の発明は、上記第１の発明において、回転ドラムを駆動するモータと、前記回転ドラムまたは前記モータの回転状態を検知する回転検知手段とを備え、制御手段は、脱水運転中に前記回転検知手段により前記回転ドラム内の衣類が偏りアンバランス状態であると検知した場合、脱水運転を中断するとともに、蓋ロック装置による蓋体の閉状態のロックを解除するようにしたものであり、脱水運転中に回転ドラム内の衣類が偏りアンバランス状態で脱水運転を中断した場合は、直ちに蓋体を開けて衣類の偏りを修正することができ、脱水運転を中断する時間を短くでき、使い勝手を向上することができる。
【００１２】
第５の発明は、上記第１の発明において、回転ドラム内の水位を検知する水位検知手段と、報知動作を行う報知手段とを備え、制御手段は、前記水位検知手段等の故障を検知した場合、運転動作を中断し前記報知手段により故障内容を報知するとともに、蓋ロック装置による蓋体の閉状態のロックを解除するようにしたものであり、水位検知手段等が故障した場合、運転動作を中断することで、故障により危険な状態になるのを防止できるとともに、報知手段により故障内容を知らせることができ、さらに、蓋体の閉状態のロックを自動的に解除することで、蓋体のロックを解除する操作をすることなく故障箇所の補修をすることができる。
【００１３】
以下、本発明の実施の形態について、図面を参照しながら説明する。なお、この実施の形態によって本発明が限定されるものではない。
【００１４】
（実施の形態１）
図２に示すように、回転ドラム１は、有底円筒形に形成し外周部に多数の通水孔２を全面に設け、水受け槽３内に回転自在に配設している。回転ドラム１の回転中心に略傾斜方向に回転軸（回転中心軸）４を設け、回転ドラム１の軸心方向を正面側から背面側に向けて下向きに傾斜させて配設している。この回転軸４にモータ５を連結し、回転ドラム１を正転方向または逆転方向に回転駆動する。回転ドラム１の内壁面に数個の突起板６を設けている。
【００１５】
水受け槽３は洗濯機本体７よりばね体８で揺動可能に吊り下げ、回転ドラム１の開口部を蓋体９により開閉自在に覆っている。蓋ロック装置１０は蓋体９を閉状態にロックするものである。水受け槽３の下部に排水ホース１１の一端を接続し、排水ホース１１の他端を排水ポンプ１２に接続して水受け槽３内の洗濯水を排水するようにしている。給水弁１３は水受け槽３内に水を給水するものである。水位検知手段１４は水受け槽３内の水位を検知するものであり、蓋開閉検知手段１５は蓋体９の開閉状態を検知するものである。
【００１６】
なお、本実施の形態では、回転ドラム１の回転中心に略傾斜方向に回転軸４を設け、回転ドラム１の軸心方向を正面側から背面側に向けて下向きに傾斜させて配設しているが、回転ドラム１の回転中心に略水平方向に回転軸４を設け、回転ドラム１の軸心方向を略水平方向に配設してもよい。
【００１７】
制御装置１６は、図１に示すように、モータ５、排水ポンプ１２、給水弁１３などの動作を制御し、洗濯、すすぎ、脱水などの一連の行程を逐次制御するマイクロコンピュータからなる制御手段１７等で構成している。制御手段１７は、運転コース等を設定するための入力設定手段１８からの情報を入力して、その情報を基に表示手段１９で表示して使用者に知らせるとともに、入力設定手段１８により運転開始が設定されると、水位検知手段１４、蓋開閉検知手段１５等からのデータを入力して、スイッチング駆動回路２０およびスイッチング手段２１を介して、蓋ロック装置１０、排水ポンプ１２、給水弁１３の動作を制御して洗濯運転を行う。報知手段２５は報知動作を行うものである。
【００１８】
このとき、制御手段１７は、モータ５のロータの位置を検出する位置検出手段２２からの情報に基づいて、インバータ駆動回路２３を介してインバータ２４を制御することによりモータ５を回転制御するようにしている。モータ５は直流ブラシレスモータで、図示していないが、３相巻線を有するステータと、リング上に２極の永久磁石を配設しているロータとで構成し、ステータは３相巻線を構成する第１の巻線５ａ、第２の巻線５ｂ、第３の巻線５ｃをスロットを設けた鉄心に巻き付けて構成している。
【００１９】
インバータ２４は、パワートランジスタ（ＩＧＢＴ）と逆導通ダイオードの並列回路からなるスイッチング素子（スイッチング手段）で構成している。第１のスイッチング素子２４ａと第２のスイッチング素子２４ｂの直列回路と、第３のスイッチング素子２４ｃと第４のスイッチング素子２４ｄの直列回路と、第５のスイッチング素子２４ｅと第６のスイッチング素子２４ｆの直列回路で構成し、各スイッチング素子の直列回路は並列接続している。
【００２０】
ここで、スイッチング素子の直列回路の両端は入力端子で、直流電源を接続し、スイッチング素子の直列回路を構成する２つのスイッチング素子の接続点に、それぞれ出力端子を接続している。出力端子は、３相巻線のＵ端子、Ｖ端子、Ｗ端子に接続し、スイッチング素子の直列回路を構成する２つのスイッチング素子のオン・オフの組合せにより、Ｕ端子、Ｖ端子、Ｗ端子をそれぞれ正電圧、零電圧、解放の３状態にする。
【００２１】
スイッチング素子のオン・オフは、ホールＩＣからなる３つの位置検出手段２２ａ、２２ｂ、２２ｃからの情報に基づいて制御手段１７により制御される。位置検出手段２２ａ、２２ｂ、２２ｃは電気角で１２０度の間隔でロータが有する永久磁石に対向するように、ステータに配設されている。
【００２２】
ロータが１回転する間に、３つの位置検出手段２２ａ、２２ｂ、２２ｃは、それぞれ電気角で１２０度の間隔でパルスを出力する。制御手段１７は、３つの位置検出手段２２ａ、２２ｂ、２２ｃのいずれかの信号の状態が変わったときを検知し、位置検出手段２２ａ、２２ｂ、２２ｃの信号を基に、スイッチング素子２４ａ〜２４ｆのオン・オフ状態を変えていくことで、Ｕ端子、Ｖ端子、Ｗ端子を正電圧、零電圧、解放の３状態にし、ステータの第１の巻線５ａ、第２の巻線５ｂ、第３の巻線５ｃに通電して磁界を作り、ロータを回転させるよう構成している。
【００２３】
また、スイッチング素子２４ａ、２４ｃ、２４ｅはそれぞれパルス幅変調（ＰＷＭ）制御され、例えば、繰り返し周波数１０ｋＨｚでハイ、ローの通電比を制御することで、ロータの回転数を制御するようにしてあり、制御手段１７は、３つの位置検出手段２２ａ、２２ｂ、２２ｃのいずれかの信号の状態が変わるたびにその周期を検出し、その周期よりロータの回転数を算出して、設定回転数になるようにスイッチング素子２４ａ、２４ｃ、２４ｅをＰＷＭ制御する。
【００２４】
商用電源２６は、ダイオードブリッジ２７ａ、平滑用コンデンサ２７ｂ、２７ｃからなる直流電源変換装置２７を介して、インバータ２４に接続している。ただし、これは一例であり、直流ブラシレスモータ５の構成、インバータ２４の構成等は、これに限定されるものではない。なお、図１および図２には図示していないが、回転ドラム１内に温風を送風する送風ファンと温風を加熱するヒータとを備え、回転ドラム１内の洗濯物を乾燥する乾燥機能を有している。
【００２５】
入力設定手段１８は、図３に示すように、洗い時間を設定する洗い時間設定スイッチ１８ａ、すすぎ回数を設定するすすぎ回数設定スイッチ１８ｂ、脱水時間を設定する脱水時間設定スイッチ１８ｃ、乾燥時間を設定する乾燥時間設定スイッチボタン１８ｄ、コース設定スイッチ１８ｅ、スタート・一時停止スイッチ１８ｆ、電源入りスイッチ１８ｇ、電源切りスイッチ１８ｈなどを有し、表示手段１９は、洗い時間表示部１９ａ、すすぎ回数表示部１９ｂ、脱水時間表示部１９ｃ、乾燥時間表示部１９ｄ、コース設定表示部１９ｅなどを有している。
【００２６】
ここで、制御手段１７は、入力設定手段１８の設定状態（例えば、洗い時間設定スイッチ１８ａをオンした状態で電源入りスイッチ１８ｇをオンする）に応じて、蓋ロック装置１０により蓋体９を閉状態にロックまたはロック解除し、かつ蓋体９をロックした場合、ロックした状態で運転可能としている。
【００２７】
また、制御手段１７は、運転中に、入力設定手段の設定、例えば、スタート・一時停止スイッチ１８ｆにより一時停止させて、運転状態を停止した場合に、蓋ロック装置１０により蓋体９を閉状態にロックしつづけるようにし、運転終了後も、蓋ロック装１０置により蓋体９を閉状態にロックしつづけるようにしている。
【００２８】
上記構成において図４を参照しながら動作を説明する。図４のステップ３０にて動作を開始し、ステップ３１にて電源入りスイッチ１８ｇをオンし、このとき、ステップ３２にて洗いスイッチ（洗い時間設定スイッチ）１８ａがオンされているとステップ３３へ進み、蓋ロック設定を切り換える。すなわち、開始時に蓋体９がロック状態でなければロックするように切り換え、開始時に蓋体９がロック状態であればロック解除するように切り換える。
【００２９】
ついで、ステップ３４にて蓋ロック設定かどうかを判定し、蓋ロック設定であればステップ３５にて蓋ロック設定（チャイルドロック）し、ステップ３６にて蓋体９を蓋ロック装置１０によりロック制御し、蓋体９を閉状態にロックする。ステップ３７にてスタート・一時停止スイッチ１８ｆをオンすると、ステップ３８にて洗濯・乾燥運転を開始する。
【００３０】
ステップ３９にてスタート・一時停止スイッチ１８ｆをオンすると、ステップ４０にて運転動作を中断する。このとき、蓋体９は閉状態にロックしたままの状態を維持する。ステップ４１にてスタート・一時停止スイッチ１８ｆを再度オンすると、ステップ４２にて運転動作を再開し、ステップ４３にて洗濯・乾燥運転が終了したかを判定し、洗濯・乾燥運転が終了していなければ、ステップ３９からステップ４３までの動作を繰り返す。ステップ４３にて洗濯・乾燥運転が終了すると、ステップ４４にて蓋ロック装置１０は蓋体９を閉状態にロックしたままの状態を維持し、ステップ４５にて運転を終了する。
【００３１】
ステップ３４にて蓋ロック設定でなけばステップ４６にてロック解除設定し、ステップ４７にて蓋ロック装置１０による蓋体９のロックを解除する蓋ロック解除制御を行い、ステップ４８にて通常洗濯動作を行う。通常洗濯動作が終了するとステップ４５にて運転を終了する。
【００３２】
以上のように、本実施の形態においては、制御手段１７は、入力設定手段１８の設定状態、すなわち洗い時間設定スイッチ１８ａをオンした状態で電源入りスイッチ１８ｇをオンすることにより、蓋ロック装置１０により蓋体９を閉状態にロックし、かつ蓋体９をロックした状態で運転可能としたので、入力設定手段１８の設定状態によって蓋ロック装置１０により蓋体９を閉状態にロックすることができるため、回転ドラム１内へ幼児が入り込んで遊ぶことによる危険を防止でき、安全性を向上することができるとともに、蓋ロック装置１０によるロックを解除する操作をしなくても、蓋ロック装置１０により蓋体９を閉状態にロックした状態で運転することができ、使い勝手を向上することができる。
【００３３】
また、制御手段１７は、運転中に、入力設定手段の設定、例えば、スタート・一時停止スイッチ１８ｆにより一時停止させて、運転状態を停止した場合に、蓋ロック装置１０により蓋体９を閉状態にロックしつづけるようにしたので、入力設定手段１８により一時停止した状態で蓋体９を開ける場合は、蓋ロック装置１０による蓋体９のロックを解除する必要があるため、一時停止期間が長くても、回転ドラム１内へ幼児が入り込んで遊ぶことによる危険を防止でき、安全性を向上することができる。
【００３４】
また、運転終了後も、蓋ロック装１０置により蓋体９を閉状態にロックしつづけるようにしたので、運転終了後に蓋体９を開ける場合は、蓋ロック装置１０による蓋体９のロックを解除する必要があるため、運転終了後に長時間放置していても、回転ドラム１内へ幼児が入り込んで遊ぶことによる危険を防止でき、安全性を向上することができる。
【００３５】
（実施の形態２）
図１に示す位置検出手段２２は、モータ５のロータの位置を検出するとともに、ロータの回転によって、回転ドラム１が１回転する間に４個のパルスを出力（本実施の形態では、回転ドラム１の回転数とモータ５の回転数が同じであるので、モータ５が１回転する間にも４個のパルスを出力する）し、この出力パルスによりモータ５の回転を検知することができ、回転ドラム１またはモータ５の回転状態を検知する回転検知手段として機能することができる。
【００３６】
制御手段１７は、すすぎ行程中の中間脱水、または脱水行程にて、図５に示すように、回転ドラム１の回転数を１０００ｒ／ｍｉｎに立ち上げるとき、図５に示すように、時間ｔ１〜ｔ２の間で回転ドラム１の回転数が１００ｒ／ｍｉｎになるように、インバータ２４を構成するスイッチング素子の制御量を制御して運転し、このときの回転ドラム１の回転数変動により、例えば、回転数変動が１０ｒ／ｍｉｎ以下の場合は、回転ドラム１内の衣類がアンバランス状態でなく、回転数変動が１０ｒ／ｍｉｎを超える場合は、回転ドラム１内の衣類が偏りアンバランス状態であると判定し、回転ドラム１内の衣類のアンバランスを検知した場合、脱水運転を中断するとともに、蓋ロック装置１０による蓋体９の閉状態のロックを解除するようにしている。また、時間ｔ３〜ｔ４の間で回転ドラム１の回転数が２００ｒ／ｍｉｎになるように運転したときも同様に、回転ドラム１内の衣類のアンバランスを検知する。他の構成は上記実施の形態１と同じである。
【００３７】
上記構成において図６を参照しながら動作を説明する。なお、ステップ３０からステップ３８までと、ステップ４５からステップ４８までの動作は上記実施の形態１の動作と同じであるので説明を省略する。
【００３８】
ステップ４９にて脱水行程を開始し、ステップ５０にて、回転ドラム１の回転数が１００ｒ／ｍｉｎになるように、インバータ２４を構成するスイッチング素子の制御量を制御して運転し、このときの回転ドラム１の回転数変動により回転ドラム１内の衣類のアンバランス状態を検知するようにし、ステップ５１にて、回転数変動が１０ｒ／ｍｉｎを超えて回転ドラム１内の衣類がアンバランス状態であることを検知するとステップ５２へ進み、脱水運転を中断するとともに、蓋ロック装置１０による蓋体９の閉状態のロックを解除する。蓋体９の閉状態のロックを解除することで、ステップ５３で蓋体９を開けて回転ドラム１内の衣類のアンバランス状態を修正する。
【００３９】
なお、図６には図示していないが、回転ドラム１の回転数が２００ｒ／ｍｉｎになるように、インバータ２４を構成するスイッチング素子の制御量を制御して運転したときも同様に動作する。
【００４０】
蓋体９を閉めると、この蓋体９の開閉動作を蓋開閉検知手段１５により検知することでステップ５４へ進み、動作を再開して蓋体９を閉状態にロックし、ステップ５５にて脱水行程を継続し、脱水行程が終了するとステップ４５にて運転を終了する。
【００４１】
ステップ５１にて、回転数変動が１０ｒ／ｍｉｎ以下で、回転ドラム１内の衣類がアンバランス状態でないことを検知するとステップ５５へ進み、脱水行程を継続し、脱水行程が終了するとステップ４５にて運転を終了する。また、ステップ４８にて通常洗濯動作が終了するとステップ５６にて運転を終了する。
【００４２】
以上のように、本実施の形態においては、制御手段１７は、脱水運転中に位置検出手段２２の出力パルスより得た回転ドラム１の回転数変動により、回転ドラム１内の衣類が偏りアンバランス状態であると検知した場合、脱水運転を中断するとともに、蓋ロック装置１０による蓋体９の閉状態のロックを解除するようにしたので、脱水運転中に回転ドラム１内の衣類が偏りアンバランス状態で脱水運転を中断した場合は、直ちに蓋体９を開けて衣類の偏りを修正することができ、脱水運転を中断する時間を短くでき、使い勝手を向上することができる。
【００４３】
（実施の形態３）
図１に示す制御手段１７は、水位検知手段１４等の故障を検知した場合、運転動作を中断し、報知手段２５により故障内容を報知するとともに、蓋ロック装置１０による蓋体９の閉状態のロックを解除するようにしている。他の構成は上記実施の形態１と同じである。
【００４４】
上記構成において図７を参照しながら動作を説明する。なお、ステップ３０からステップ３８までと、ステップ４５からステップ４８までの動作は上記実施の形態１の動作と同じであるので説明を省略する。
【００４５】
ステップ３８にて洗濯・乾燥運転を開始し、ステップ５７にて水位検知手段１４が故障かを判定し、ステップ５８にて他の異常状態かを判定し、いずれも異常がなければステップ４３へ進み、ステップ４３にて洗濯・乾燥運転が終了するまで、ステップ５７、５８、４３の動作を繰り返す。
【００４６】
ステップ５７にて水位検知手段１４が故障があるか、ステップ５８にて他の異常状態がある場合はステップ５９へ進み、運転動作を中断し、蓋ロック装置１０による蓋体９の閉状態のロックを解除し、ステップ６０にて報知手段２５により故障内容を報知し、ステップ６１にて動作を終了する。
【００４７】
以上のように、本実施の形態においては、制御手段１７は、水位検知手段１４等の故障を検知した場合、運転動作を中断し報知手段２５により故障内容を報知するとともに、蓋ロック装置１０による蓋体９の閉状態のロックを解除するようにしたので、水位検知手段１４等が故障した場合、運転動作を中断することで、故障により危険な状態になるのを防止できるとともに、報知手段２５により故障内容を知らせることができ、さらに、蓋体９の閉状態のロックを自動的に解除することで、蓋体９のロックを解除する操作をすることなく故障箇所の補修をすることができる。
【産業上の利用可能性】
【００４８】
本発明にかかる洗濯機は、入力設定手段の設定によって蓋体を閉状態にロックできて安全性を向上することができるとともに、蓋ロック装置により蓋体を閉状態にロックした状態で運転することができ、使い勝手を向上することができるので、回転ドラムの開口部を開閉する蓋体を閉状態にロックする蓋ロック装置を備えた洗濯機として有用である。
【図面の簡単な説明】
【００４９】
【図１】本発明の実施の形態１の洗濯機の一部ブロック化した回路図
【図２】同洗濯機の断面図
【図３】同洗濯機の入力設定手段と表示手段の拡大正面図
【図４】同洗濯機の動作フローチャート
【図５】本発明の実施の形態２の洗濯機の脱水行程のタイムチャート
【図６】同洗濯機の動作フローチャート
【図７】本発明の実施の形態３の洗濯機の動作フローチャート
【符号の説明】
【００５０】
１  回転ドラム
４  回転軸（回転中心軸）
９  蓋体
１０  蓋ロック装置
１７  制御手段
１８  入力設定手段
【図１】
2005111039.tif 000003
【図２】
2005111039.tif 000004
【図３】
2005111039.tif 000005
【図４】
2005111039.tif 000006
【図５】
2005111039.tif 000007
【図６】
2005111039.tif 000008
【図７】
2005111039.tif 000009